(57)【要約】【課題】より簡単な構成でフィルタの汚れを検知できるエアコンを有するエレベータを提供することである。【解決手段】ファン２９を回転させて吸込口から本体内部に吸い込んだ空気をフィルタ２２で濾過した後、吹出口から吹き出すエアコンを有するエレベータ１０であって、エアコンは、フィルタ２２の汚れを検知する汚れ検知部と、フィルタ２２が汚れたことを検知した場合に報知する報知手段と、を備える。【選択図】図１
2009208922.tif 000002
【特許請求の範囲】
【請求項１】
ファンを回転させて吸込口から本体内部に吸い込んだ空気をフィルタで濾過した後、吹出口から吹き出すエアコンを有するエレベータであって、
エアコンは、
フィルタの汚れを検知する検知部と、
フィルタが汚れたことを検知した場合に報知する報知手段と、
を備えることを特徴とするエレベータ。
【請求項２】
請求項１に記載のエレベータにおいて、
検知部は、
フィルタを空気が吸い込まれる方向と反対方向に付勢する付勢手段と、
フィルタが付勢手段の付勢力に抗して空気が吸い込まれる方向に移動したことを検出する検出手段と、
を含むことを特徴とするエレベータ。
【請求項３】
請求項２に記載のエレベータにおいて、
検出手段は、
マイクロスイッチによってフィルタの移動を検出することを特徴とするエレベータ。
【請求項４】
請求項１に記載のエレベータにおいて、
検知部は、
ファンを回転させるモータの負荷変化率に基づいてフィルタの汚れを検知する負荷解析手段を含むことを特徴とするエレベータ。
【請求項５】
請求項１に記載のエレベータにおいて、
検知部は、
フィルタを通過する光の透過率に基づいてフィルタの汚れを検知する透過率解析手段を含むことを特徴とするエレベータ。
【請求項６】
請求項１から請求項５のいずれか１に記載のエレベータにおいて、
報知手段は、
乗りかごのかご操作盤にエラー表示を出力することを特徴とするエレベータ。
【請求項７】
請求項１から請求項６のいずれか１に記載のエレベータにおいて、
報知手段は、
エレベータをメンテナンスする管理センタに通報することを特徴とするエレベータ。
【発明の詳細な説明】
【技術分野】
【０００１】
本発明は、エレベータに係り、特に、エアコンを有するエレベータに関する。
【背景技術】
【０００２】
エレベータに設置されたエアコンは、ファンを回転させて吸込口から本体内部に吸い込んだ空気をフィルタで濾過した後、吹出口から吹き出している。そのため、エアコンの運転を継続しているとフィルタに埃等が付着してエアコンの運転効率の低下を引き起こしたり、場合によっては、エアコンの故障を引き起こしたりしてエアコンの修理に時間がかかるという問題があった。
【０００３】
例えば、特許文献１には、熱交換器と、速度可変型の送風用モータを備えた送風機と、送風機の回転速度を高速または低速にするかを設定する速度設定器と、送風機の上流側あるいは下流側に配設されたフィルタと、フィルタの上流側と下流側との圧力差を検出すると共に、速度設定器が高速に設定されている場合は高速用の基準値と検出値とを比較し、また速度設定器が低速に設定されている場合は低速用の基準値と検出値とを比較して、それぞれの比較結果を出力する２段差圧検出器と、２段差圧検出器の出力に応じて高速用警告表示灯または低速用警告表示灯を点灯・消灯する目詰まり警告表示装置とを備えた空気調和機が開示されている。
【０００４】
【特許文献１】特開２０００−１８６７５号公報
【発明の開示】
【発明が解決しようとする課題】
【０００５】
上記特許文献１の構成を用いることにより、フィルタの汚れを検知することができる。しかし、特許文献１の構成では、フィルタの上流側と下流側との圧力差を検出すると共に、高速用の基準値と検出値との比較あるいは低速用の基準値と検出値との比較を行う２段差圧検出器を特別に設ける必要があり不便である。
【０００６】
本発明の目的は、より簡単な構成でフィルタの汚れを検知できるエアコンを有するエレベータを提供することである。
【課題を解決するための手段】
【０００７】
本発明に係るエレベータは、ファンを回転させて吸込口から本体内部に吸い込んだ空気をフィルタで濾過した後、吹出口から吹き出すエアコンを有するエレベータであって、エアコンは、フィルタの汚れを検知する検知部と、フィルタが汚れたことを検知した場合に報知する報知手段と、を備えることを特徴とする。
【０００８】
また、本発明に係るエレベータにおいて、検知部は、フィルタを空気が吸い込まれる方向と反対方向に付勢する付勢手段と、フィルタが付勢手段の付勢力に抗して空気が吸い込まれる方向に移動したことを検出する検出手段と、を含むことが好ましい。
【０００９】
また、本発明に係るエレベータにおいて、検出手段は、マイクロスイッチによってフィルタの移動を検出することが好ましい。
【００１０】
また、本発明に係るエレベータにおいて、検知部は、ファンを回転させるモータの負荷変化率に基づいてフィルタの汚れを検知する負荷解析手段を含むことが好ましい。
【００１１】
また、本発明に係るエレベータにおいて、検知部は、フィルタを通過する光の透過率に基づいてフィルタの汚れを検知する透過率解析手段を含むことが好ましい。
【００１２】
また、本発明に係るエレベータにおいて、報知手段は、乗りかごのかご操作盤にエラー表示を出力することが好ましい。
【００１３】
また、本発明に係るエレベータにおいて、報知手段は、エレベータをメンテナンスする管理センタに通報することが好ましい。
【発明の効果】
【００１４】
上記構成のエレベータによれば、フィルタの汚れについて報知が行われる。したがって、この報知によりフィルタの交換を迅速に行うことができるため、エアコンの運転効率が低下してしまうことを抑制することができる。
【００１５】
また、上記構成のかご操作盤にエラー表示を出力する報知手段を有するエレベータによれば、例えば、乗りかごに乗っている乗客であっても容易にエラーの表示がなされていることを認識できるため、迅速に管理センタ等に通報等の対応を行うことができる。
【００１６】
また、上記構成のメンテナンスを行う管理センタに通報する報知手段を有するエレベータによれば、フィルタが汚れていることについて、エレベータのメンテナンスを行っている管理センタに通報される。したがって、エレベータの保守作業員はエレベータの定期点検の場合だけでなく、必要なときに随時フィルタの汚れに対し迅速に対応することができるため、エアコンの運転効率が低下してしまうことを抑制することができる。
【発明を実施するための最良の形態】
【００１７】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１８】
図１は、本発明の第１実施形態であるエレベータ１０の乗りかご２内の様子を示す図である。エレベータ１０は、乗りかご２を移動させるために主ロープ７を巻き上げる巻上機（図示せず）とエレベータ制御盤（図示せず）とが昇降路の最下部であるいわゆるピット内に設置されている。乗りかご２は、乗客４を行き先階まで移動させるためのものであって、かご操作盤８と、かご扉６と、エアコン部２０とを含んで構成される。かご操作盤８は、乗りかご２内に設けられ乗りかご２の行き先を選択する押ボタン８２や表示パネル８４等が配置される操作盤である。かご扉６は、乗りかご２が乗客４によって設定された行き先階に到着したときに開閉する扉である。表示パネル８４は、乗りかご２が移動しているときに現在位置している階床を表示する機能を有する。
【００１９】
図２は、エアコン部２０の断面拡大図である。エアコン部２０は、吸込口部２０１と、吹出口部２０２と、エアコン本体部２１ａとを含んで構成される。エアコン部２０は、吸込口部２０１から吸い込んだ空気を適当な温度に調温して吹出口２０４から吹出す機能を有している。
【００２０】
エアコン本体部２１ａは、フィルタ２２と、付勢バネ２３と、検知部２４と、報知部２６と、熱交換器２８と、ファン２９と、モータ２９１と、それらの部品を収納するケースを含んで構成される。報知部２６は、エレベータ１０の運転を制御する制御盤３１と電気的に接続される。なお、制御盤３１は、かご操作盤８と、監視装置３３を介しメンテナンス管理センタ３５と、電気的に接続されているが、監視装置３３とメンテナンス管理センタ３５の説明については後述する。
【００２１】
吸込口部２０１は、乗りかご２内の空気をエアコン本体部２１ａ内に取り込むための吸込口２０３（図１参照）と、吸込口２０３（図１参照）からエアコン本体部２１ａ内に向けて延伸する蛇腹状のホースとを含んで構成される。吸込口部２０１は、乗りかご２の天井に吸込口用の孔をあけ、吸込口部２０１の吸込口２０３（図１参照）が乗りかご２内に向くように配置される。
【００２２】
フィルタ２２は、吸込口部２０１から吸い込まれた空気を濾過する機能を有する。フィルタ２２は、エアコン本体部２１ａ内の上流側であって吸込口部２０１付近に設けられる。なお、フィルタ２２は、赤外線等の光を通過させる材料で構成されている。ここで、エアコン本体部２１ａは、それを構成する内壁の略中央部から内側に向いた２つの凸部２１１を有しており、付勢バネ２３は、フィルタ２２と２つの凸部２１１との間にそれぞれ２つ取り付けられ、フィルタ２２を空気の吸い込まれる方向と反対方向に付勢する。
【００２３】
検知部２４は、フィルタ２２の下流側であって、２つの凸部２１１の間の略中央に設けられるマイクロスイッチを含んで構成される。マイクロスイッチは、規定された動きと規定された力で開閉動作する接点機構がケースで覆われて、その外部にアクチュエータを備える。検知部２４は、アクチュエータが押圧された場合にはマイクロスイッチがオンの状態となり、アクチュエータが押圧されていない場合にはマイクロスイッチがオフの状態となる。したがって、フィルタ２２が付勢バネ２３の付勢力によって移動しないとアクチュエータが押圧されずマイクロスイッチがオフとなる。一方、フィルタ２２が付勢バネ２３の付勢力に抗して下流側に移動し、アクチュエータが押圧される状態となることでマイクロスイッチがオンとなる。
【００２４】
報知部２６は、検知部２４と接続され、検知部２４の出力に基づいて報知指令を制御盤３１に対して与える機能を有する。具体的には、報知部２６は、検知部２４を構成するマイクロスイッチがオフの状態では制御盤３１に対して指令を与えないが、マイクロスイッチがオンの状態になると、制御盤３１に対して報知指令を与える。そして、制御盤３１は、その報知指令を受けて、かご操作盤８の表示パネル８４（図１参照）に「フィルタが汚れています」旨の表示を行うための制御を行うとともに、エレベータの運転状態等を監視する監視装置３３を介してメンテナンス管理センタ３５にフィルタ２２が汚れている旨の通報を行うための制御を行う。
【００２５】
熱交換器２８は、検知部２４の下流側に設けられ、ファン２９によって吸い込まれる空気を温風または冷風に換えるための熱交換を行う機能を有する。ファン２９は、熱交換器２８の下流側に設けられ、乗りかご２内の空気を吸込口部２０１とフィルタ２２と熱交換器２８を介して吸い込む機能を有する。なお、ファン２９は、モータ２９１によって回転駆動される。
【００２６】
吹出口部２０２は、ファン２９によって吸込口部２０１から吸い込まれ熱交換器２８によって熱交換された空気を吹出すための吹出口２０４（図１参照）と、エアコン本体部２１ａから吹出口２０４（図１参照）に向けて延伸する蛇腹状のホースとを含んで構成される。乗りかご２の天井に吹出口用の孔をあけ、吹出口部２０２の吹出口２０４（図１参照）が乗りかご２内に向けられるように配置される。
【００２７】
続いて、上記構成からなるエレベータ１０の動作について、図１〜図４を参照して説明する。図３は、フィルタ２２に埃等が付着していない状態のフィルタ２２付近の拡大図である。図４は、フィルタ２２に埃４４が付着している状態のフィルタ２２付近の拡大図である。エレベータ１０のエアコン部２０が運転状態である場合には、吸込口部２０１から乗りかご２内の空気がファン２９の回転によってエアコン本体部２１ａ内に吸い込まれ、フィルタ２２によって濾過された後に熱交換器２８によって熱交換された空気が吹出口部２０２から乗りかご２内に吹出される。
【００２８】
ここで、エアコン部２０が長時間運転を継続していると埃４４がフィルタ２２に付着していく。埃４４が無い状態では、付勢バネ２３によってフィルタ２２を上流側に付勢する力がファン２９によってフィルタ２２を下流側に吸い込む力よりも大きいため、図３に示されるようにフィルタ２２は移動しない。一方、フィルタ２２に多くの埃４４が付着すると、ファン２９によってフィルタ２２を下流側に吸い込む力が付勢バネ２３によってフィルタ２２を上流側に付勢する力よりも大きくなるため、フィルタ２２が付勢バネ２３の付勢力に抗して、図４に示されるような位置まで下流側に向けて移動する。これにより、移動したフィルタ２２の押圧力によって検知部２４がオンとなるから、検知部２４の出力によって報知部２６は、制御盤３１に対して報知指令を与える。そして、制御盤３１は、かご操作盤８の表示パネル８４に「フィルタが汚れています」旨といったエラー表示を行うための制御を行うとともに、エレベータの運転状態等を監視する監視装置３３を介してメンテナンス管理センタ３５にフィルタ２２が汚れている旨の通報を行うための制御を行う。これにより、乗りかご２の乗客４が表示パネル８４のエラー表示を確認することでフィルタ２２の汚れを把握してメンテナンス管理センタ３５に連絡すること等の対応することができる。また、制御盤３１からメンテナンス管理センタ３５に通報されることで保守作業員が迅速にかけつけることができる。したがって、フィルタ２２の交換等の迅速な対応を行うことができるため、エアコン部２０の運転効率の低下を抑制することができる。
【００２９】
次に、図５を参照して本発明の第２実施形態であるエレベータ１１について説明する。ここで、エレベータ１１は、上記第１実施形態のエレベータ１０とほぼ同様の構成を有するため、同一構成要素には同一符号を付して重複することとなる説明を援用によって省略し、異なる構成およびその作用について説明する。エレベータ１１は、エアコン部２５を構成する部分についてエレベータ１０のエアコン部２０と相違するため、以下では、特に、その内容について詳細な説明を行う。
【００３０】
エアコン部２５は、吸込口部２０１と、吹出口部２０２と、エアコン本体部２１ｂとを含んで構成される。エアコン本体部２１ｂは、フィルタ２２と、報知部２６と、熱交換器２８と、ファン２９と、ファン２９を回転させるモータ２９１と、負荷解析部４０とを含んで構成される。報知部２６は、エレベータ１１の運転を制御する制御盤３１と電気的に接続される。制御盤３１は、かご操作盤８と監視装置３３を介してメンテナンス管理センタ３５と電気的に接続されている。フィルタ２２は、エアコン本体部２１ｂに適当な手段を用いて固定されている。
【００３１】
負荷解析部４０は、モータ２９１と電気的に接続され、予め定められた所定の間隔でモータ２９１の負荷を監視して記憶し、その記憶された負荷からモータの負荷変化率を算出し、その負荷変化率に基づいてフィルタの汚れを検知する検知部である。そして、その負荷変化率がフィルタ２２に埃等が付着してエアコン部２５の運転効率が下がり始めることとなる基準値を超える場合に報知部２６に対して出力が行われる。そして、負荷解析部４０からの出力によって、第１実施形態と同様に報知部２６から制御盤３１に対して報知指令が行われる。
【００３２】
続いて、上記構成からなるエレベータ１１の動作について、図５を参照して説明する。エレベータ１１のエアコン部２５が運転状態であると、吸込口部２０１から乗りかご２内の空気がファン２９の回転によって、エアコン本体部２１ｂ内に吸い込まれ、熱交換器２８によって熱交換された空気が吹出口部２０２から乗りかご２内に吹出される。
【００３３】
ここで、フィルタ２２に埃等が付着したときもフィルタ２２に埃等が付着していないときと同じ量の空気を吸込口部２０１から吸い込もうとすると、より大きな吸引力が必要となるため、モータ２９１の負荷が大きくなる。この場合、負荷解析部４０において算出された負荷変化率が基準値を超えることとなると、報知部２６に対して報知指令が行われる。そして、制御盤３１は、かご操作盤８の表示パネル８４に「フィルタが汚れています」旨といったエラー表示を行うための制御を行うとともに、エレベータの運転状態等を監視する監視装置３３を介してメンテナンス管理センタ３５にフィルタ２２が汚れている旨の通報を行うための制御を行う。したがって、上記と同様に、フィルタ２２の交換等の作業を迅速に行うことでエアコンの運転効率の低下を抑制することができる。
【００３４】
次に、図６を参照して本発明の第３実施形態であるエレベータ１２について説明する。ここで、エレベータ１２は、上記第１実施形態のエレベータ１０とほぼ同様の構成を有するため、同一構成要素には同一符号を付して重複することとなる説明を援用によって省略し、異なる構成およびその作用について説明する。エレベータ１２は、エアコン部２７を構成する部分について、エレベータ１０のエアコン部２０と相違するため、以下では、特に、その内容について詳細な説明を行う。
【００３５】
エアコン部２７は、吸込口部２０１と、吹出口部２０２と、エアコン本体部２１ｃとを含んで構成される。エアコン本体部２１ｃは、フィルタ２２と、報知部２６と、熱交換器２８と、ファン２９と、ファン２９を回転駆動させるモータ２９１と、発光素子部５２と、受光素子部５４と、透過率解析部５６とを含んで構成される。報知部２６は、エレベータ１２の運転を制御する制御盤３１と電気的に接続される。制御盤３１は、かご操作盤８と監視装置３３を介してメンテナンス管理センタ３５と電気的に接続されている。フィルタ２２は、エアコン本体部２１ｃに適当な手段を用いて固定されている。
【００３６】
発光素子部５２は、発光素子を含んで構成され、フィルタ２２の上流側に配置される。受光素子部５４は、受光素子を含んで構成され、フィルタ２２の下流側であって発光素子部５２から発せられる光を受光できる位置に配置される。ここで、発光素子部５２から発せられる光は、フィルタ２２を通過して受光素子部５４によって受光されるが、フィルタ２２が埃等で汚れてくるとフィルタ２２の透過率が下がってくる。
【００３７】
透過率解析部５６は、受光素子部５４と電気的に接続され、受光素子部５４の受光量とフィルタ２２の透過率との関係づけられたデータベースを有し、受光素子部５４の受光量に基づいて、データベースからフィルタ２２の透過率を算出し、フィルタの汚れを検知する検知部である。そして、その透過率がフィルタ２２に埃等が付着してエアコン部２７の運転効率が下がり始める基準透過率を下回る場合に報知部２６に対して出力が行われる。そして、透過率解析部５６からの出力によって、第１実施形態と同様に報知部２６から制御盤３１に対して報知指令が行われる。
【００３８】
続いて、上記構成からなるエレベータ１２の動作について、図６を参照して説明する。エレベータ１２のエアコン部２７が運転状態であると、吸込口部２０１から乗りかご２内の空気がファン２９の回転によってエアコン本体部２１ｃに吸い込まれ、熱交換器２８によって熱交換された空気が吹出口部２０２から乗りかご２内に吹出される。また、発光素子部５２から発せられた光が受光素子部５４によって受光されているが、フィルタ２２に埃等が付着していくとフィルタ２２を光が通過する透過率が下がり、受光素子部５４における受光量が下がる。
【００３９】
ここで、透過率解析部５６において、受光素子部５４における受光量から算出されたフィルタ２２の透過率が基準透過率を以下となれば報知部２６に対して報知指令が行われる。そして、制御盤３１は、かご操作盤８の表示パネル８４に「フィルタが汚れています」旨といったエラー表示を行うための制御を行うとともに、エレベータの運転状態等を監視する監視装置３３を介してメンテナンス管理センタ３５にフィルタ２２が汚れている旨の通報を行うための制御を行う。したがって、上記と同様に、フィルタ２２の交換等の作業を迅速に行うことでエアコンの運転効率の低下を抑制することができる。
【図面の簡単な説明】
【００４０】
【図１】本発明の第１実施形態であるエレベータの乗りかご内の様子を示す図である。
【図２】本発明の第１実施形態であるエレベータのエアコン部の拡大断面図である。
【図３】本発明の第１実施形態であるエレベータのエアコン部のフィルタに埃等が付着していない状態のフィルタ付近の拡大図である。
【図４】本発明の第１実施形態であるエレベータのエアコン部のフィルタに埃が付着している状態のフィルタ付近の拡大図である。
【図５】本発明の第２実施形態であるエレベータのエアコン部のフィルタに埃等が付着していない状態のフィルタ付近の拡大図である。
【図６】本発明の第３実施形態であるエレベータのエアコン部のフィルタに埃等が付着していない状態のフィルタ付近の拡大図である。
【符号の説明】
【００４１】
４  乗客、６  かご扉、７  主ロープ、８  かご操作盤、１０，１１，１２  エレベータ、２０，２５，２７  エアコン部、２１ａ，２１ｂ，２１ｃ  エアコン本体部、２２  フィルタ、２３  付勢バネ、２４  検知部、２６  報知部、２８  熱交換器、２９  ファン、３１  制御盤、３３  監視装置、３５  メンテナンス管理センタ、４０  負荷解析部、４４  埃、５２  発光素子部、５４  受光素子部、５６  透過率解析部、８２  押ボタン、８４  表示パネル、２０１  吸込口部、２０２  吹出口部、２０３  吸込口、２０４  吹出口、２１１  凸部、２９１  モータ。
【図１】
2009208922.tif 000003
【図２】
2009208922.tif 000004
【図３】
2009208922.tif 000005
【図４】
2009208922.tif 000006
【図５】
2009208922.tif 000007
【図６】
2009208922.tif 000008